(57)【要約】【課題】雑草発生の防除において、チップの飛散及び流出の防止、鉄筋ワイヤーメッシュやキュアマット（防砂シート）が錆びて朽ちること、土壌汚染や環境負荷などの課題を解決しようとするものである。【解決手段】街路樹等の樹木の剪定材、間伐材、伐採、竹または伐根である木質系、または草、花など植物系の天然素材を、これら木質系、植物系が排出される現場に移動式破砕機を据えてチップにする。施工現場内に雑草抑制工法を行う。チップと新聞紙とを天然素材の紅藻類の海藻を煮出して得られる水溶液の結合材を用いて結合する。道路中央分離帯、花壇、街路樹、公園等で人為がかなり加わっているところの雑草を抑制する。用いたチップなどの飛散流失を防止することができる。【選択図】        図１
2004290014.tif 000002
【特許請求の範囲】
【請求項１】
雑草抑制基材と、結合材とを含む雑草抑制材。
【請求項２】
結合材が、結合促進剤を含む請求項１に記載の雑草抑制材。
【請求項３】
雑雑草抑制材を遮光紙の上に敷設する雑草抑制工法。
【請求項４】
雑草抑制基材を遮光紙の上に敷設し、雑草抑制基材の上に雑雑草抑制材を敷設する雑草抑制工法。
【請求項５】
雑草抑制基材を遮光紙の上に敷設する雑草抑制工法。
【請求項６】
掘削し、雑草抑制基材を敷設し、および／または雑草抑制材を敷設する雑草抑制工法。
【請求項７】
請求項１〜６に記載の雑草抑制基材および／または雑草抑制材を用い、道路中央分離帯、花壇、街路樹または公園等で敷設する雑草抑制工法。
【発明の詳細な説明】
【０００１】
【発明が属する技術分野】
本発明は、道路中央分離帯、花壇、街路樹、公園等で人為がかなり加わっているところに、雑草抑制に際して、雑草抑制基材及び雑草抑制材を用いてなる道路中央分離帯などの雑草抑制工法に関するものである。
【０００２】
【従来の技術】
雑草防止方法及び雑草防除法の中で防草すべき地面上に石灰窒素を撒布しチップを敷設し、また掘削した地面及び路面を整地し平らにした上チップを敷均し嵩上げて防草シートを併用して高分子樹脂接着剤を利用して雑草防除することのみで実用上十分であった。  特開２００２−２７８４４号公報（以下、特許文献１という）に、雑草の発生以前、または発生直後の状態において、防草すべき地面上Ｇ上に石灰窒素Ｓを撒布しその上に木質系破砕チップ材Ｔを敷設する（特許文献１の段落番号第００１２）及び石灰窒素Ｓが直接地面に接触すると共に木質系破砕チップ材Ｔの敷設により石灰窒素Ｓが風により飛ばされることを防ぐ（特許文献１の段落番号第００１４）の記載がある。
【０００３】
特開２００２−１１０１３６号公報（以下、特許文献２という）に、敷設したチップ材が流出する恐れがある。そのような場合は、約５０ｍ内外の間隔で、固定用の鉄筋を打ち込み、チップ材の上にワイヤーメッシュを張り、さらにその上からキュアマット（防砂シート）を張りつけると、チップ材の移動を防止できる（特許文献２の段落番号第００２８）との記載がある。
【０００４】
ウッドチップ新用途「こんなに役立つ木のチップ」に、ウッドチップマルチによる抑草効果は、一般に草本、木本植物ともに路床の外から飛散侵入種子植物群に対して有効である。マルチが花壇、街路樹・公園等で人為がかなり加わっているところで、雑草の発生源が主に埋土中のタネからと推定される場合は、雑草発生の深さはせいぜい５ｃｍぐらいまでなので、掘削整地の深さは地表５から１０ｃｍ程度でよい（非特許文献１の第７項の雑草防除法Ｐ９７）と記載されおり、合成繊維の防草シートの併用で効果が一層高まり（非特許文献１の第７項の国内各地における抑草効果試験例Ｐ９８）、接着処理工においては、粉末状の糊（非特許文献１の第６項ドライスケットＰ７７）とだけの記述で嵩上工における雑草木の駆除手段としては除草剤処理が唯一である。あとウッドチップに高分子樹脂を撒布あるいは混合して接着処理工法で、「アクリル樹脂処理工法」と「ウレタン樹脂処理工法」が開発されている。ウレタン樹脂を接着剤としてウッドチップと混合し敷なした接着処理工施工（非特許文献１の第７項施工地の実態Ｐ８２）と記載がある。
【０００５】
【特許文献１】特開２００２−２７８４４号公報明細書
【特許文献２】特開２００２−１１０１３６号公報明細書
【非特許文献１】豊岡  洪、他１５名、「ウッドチップ新用途」、こんなに役立つ木のチップ、日本国、財団法人林業科学技術振興所、１９９９年７月１８日、Ｐ８０−１０１、Ｐ７６―７７
【０００６】
【発明が解決しようとする課題】
しかしながら、特許文献１には、チップの風などによる飛散、雨水等による流出の問題点があり、チップの飛散及び流出の防止できない点である。
【０００７】
また、特許文献１には、チップ材が流出する恐れがある場合約５０ｍ内外の間隔で、固定用の鉄筋を打ち込み、チップ材の上にワイヤーメッシュを張り、さらにその上からキュアマット（防砂シート）を張りつけると記載されてあり、固定用の鉄筋やワイヤーメッシュの使用で飛散防止の方法としてキュアマット（防砂シート）を張りつけるとの記載があるが鉄筋ワイヤーメッシュやキュアマット（防砂シート）が雨水などで錆びて朽ちたときの問題点がある。
【０００８】
また、非特許文献１には、チップ使用の雑草防除法での雑草発生の防除では、合成繊維の防草シートの併用、チップ流出及び飛散防止については、高分子樹脂の接着剤使用と有り土壌汚染及び環境負荷に対しての問題点がある。
本発明は、雑草発生の防除において、チップの飛散及び流出の防止、鉄筋ワイヤーメッシュやキュアマット（防砂シート）が錆びて朽ちること、土壌汚染や環境負荷などの課題を解決しようとするものである。
【０００９】
【課題を解決するための手段】
本発明は、街路樹等の樹木の剪定材、間伐材、伐採、竹または伐根である木質系、または草、花など植物系の天然素材が、概ね一般廃棄物処理場または、産業廃棄物処理場へ搬入され、埋め立て処理及び焼却処理されている。これらの木質系、植物系を破砕機にてチップにする。木質系、植物系が排出される施工現場に移動式破砕機を据えてチップにする。木質系、植物系が排出される施工現場内に雑草抑制工法を行うことで、運搬に関わる経費の節約にもなる。遮光紙に、古紙として収集される新聞紙を再利用する。チップと新聞紙を使用することで再資源化が図れる。天然素材の紅藻類の海藻を煮出して得られる水溶液を結合材とする。
結合材を使用することで、土壌汚染に対しての軽減化を図る。道路中央分離帯、花壇、街路樹、公園等で人為がかなり加わっているところで、雑草抑制効果も有り、飛散防止効果及び流失防止効果を得ることができる。
【００１０】
チップとは、天然素材の原材料を破砕機により破砕して得られるものであって、チップの平均粒調が１〜１８０ｍｍまでのものをいう。原材料は、街路樹等の樹木の剪定材、間伐材、伐採、竹または伐根である木質系、または草、花など植物系、あるいは、これらが微生物により分解されたのものを一つ以上含むものからなるものである。破砕機としては、チッパシュレッダ、ハンマクラッシャ、ハンマミル、一軸せん断式、二軸せん断式などがある。
【００１１】
遮光紙とは、古紙として収集される新聞紙または土壌中の有機微生物などにより分解されるその他の紙のものであって、遮光効果のある厚さに重ねたものも含む。
【００１２】
結合材とは、天然素材である紅藻類の海藻と水を煮ることできる。乾燥した紅藻類海藻を１に対して水２から１００の比率の割合で、容器に入れ加熱させる。沸騰したら加熱を調整する。容器の中をゆっくりとかき混ぜ煮る。加熱を止めた後、容器を自然冷却することで食用サラダ油位の粘調度が得られる。紅藻類海藻は、ダルス目ダルス科ダルス、カタベニフクロノリ、ホソベニフクロノリ、ベニフクロノリ、テングサ目テングサ科マクサ、ヨレクサ、オバクサスギノリ目フノリ科フクロフノリ、スギノリ科カイノリ、トゲツノマタ、マルバツノマタ、ツノマタ、ヒラコトジ、クロハギンナンソウ、アカバギンナンソウ、イトフノリ科イトフノリ、オトヒメモズクなどが利用できる。
【００１３】
結合促進剤とは、結合材の増粘性を発揮させ、ゲル（一般に「あらゆる溶媒に不溶で、三次元網目構造を持つ高分子及びその膨潤体」と定義される。我々の身近に存在するゲルには、ゼリー、こんにゃく、寒天などの植物や吸水性高文子ゲルがある。）化の反応を増強させ得るカルシウム塩、カリウム塩、アンモニウム塩をいう。結合材に結合促進剤を混合攪拌して使用する。
【００１４】
本発明の雑草抑制基材とは、チップ、結合材、遮光紙、結合促進剤をいう。
雑草抑制材とは、結合材とチップを１対２から４の割合の比率でバケツや定板の上で、またはモルタルミキサーで混合攪拌したものを雑草抑制材という。
【００１５】
雑草抑制工法を道路中央分離帯、花壇、街路樹、公園等で人為がかなり加わっているところで、雑草の発生源が主に埋土中のタネからと推定される。雑草発生の深さはせいぜい５ｃｍぐらいまでなので、地表面より１５ｃｍの掘削深さとする。地表面よりの掘削深さが１５ｃｍ程度掘削できない時は、地形条件を考慮し、掘削深さを３ｃｍ以上確保して掘削する。
【００１６】
掘削を、バックホウなどの機械掘削または、スコップや山鍬などを用い人力掘削にて行う。
掘削面の締め固め転圧を、人力にて土端板または、プレートやローラーを用い掘削面の段差を平坦に締め固め転圧する。
掘削面の基面整正を、山鍬や角スコップを用い、掘削面を平坦に基面整正する。
【００１７】
基面整正した上に、遮光紙を敷き詰める。掘削側面は、掘削前の地表高まで遮光紙を添わせる。遮光紙が、風により飛散また、めくれないように遮光紙の繋ぎ目と中心点あたりにチップを重石代わりに遮光紙の上に置く。
【００１８】
雑草抑制基材を、遮光紙の上に敷設する。
雑草抑制基材の締め固め転圧を、人力にて土端板または、プレートや無振動ローラーを用い雑草抑制基材の段差を平坦に締め固め転圧する。
【００１９】
雑草抑制基材のチップに結合材を塗布または噴霧し、流出及び飛散防止効果を得る。
結合促進剤を、結合材に混合攪拌させ、雑草抑制基材に塗布または噴霧する。
【００２０】
【発明の実施の形態】
本発明の植栽地の雑草抑制となる基材として、天然素材の原材料を破砕機により破砕して得られるものであって、チップの平均粒調が１〜１８０ｍｍまでのものをいう。原材料は、街路樹等の樹木の剪定材、間伐材、伐採、竹または伐根である木質系、または草、花など植物系、あるいは、これらが微生物により分解されたのものを一つ以上含むものからなるものである。概ね廃棄物として一般廃棄物処理場または、産業廃棄物処理場へ搬入され埋め立て処理、焼却処理されている上記のものも用いる。破砕機としては、チッパシュレッダ、ハンマクラッシャ、ハンマミル、一軸せん断式、二軸せん断式などがある。チップを基材とする。このチップの平均粒調は、１〜１８０ｍｍであり、８０ｍｍのチップが好ましい。
【００２１】
本発明の結合材を、天然素材である紅藻類の海藻と水を煮ることできる。乾燥した紅藻類海藻を１に対して水２から１００の比率の割合で、容器に入れ加熱させる。沸騰したら加熱を調整する。容器の中をゆっくりとかき混ぜ煮る。加熱を止めた後、容器を自然冷却することで食用サラダ油位の粘調度が得られる。紅藻類海藻は、ダルス目ダルス科ダルス、カタベニフクロノリ、ホソベニフクロノリ、ベニフクロノリ、テングサ目テングサ科マクサ、ヨレクサ、オバクサスギノリ目フノリ科フクロフノリ、スギノリ科カイノリ、トゲツノマタ、マルバツノマタ、ツノマタ、ヒラコトジ、クロハギンナンソウ、アカバギンナンソウ、イトフノリ科イトフノリ、オトヒメモズクなどが利用できる。結合材をそのまま使用できるが、水で２から４倍まで水で希釈しても使用できる。
【００２２】
本発明の遮光紙として、古紙として収集される新聞紙または土壌中の有機微生物などにより分解されるその他の紙のものであって、遮光効果のある厚さに重ねたものも含む。
【００２３】
本発明の結合促進剤とは、結合材の増粘性を発揮させ、ゲル（一般に「あらゆる溶媒に不溶で、三次元網目構造を持つ高分子及びその膨潤体」と定義される。我々の身近に存在するゲルには、ゼリー、こんにゃく、寒天などの植物や吸水性高文子ゲルがある。）化の反応を増強させ得るカルシウム塩、カリウム塩、アンモニウム塩をいう。結合材に結合促進剤を混合攪拌して使用する。
【００２４】
本発明の雑草抑制基材とは、チップ、結合材、遮光紙、結合促進剤をいう。
本発明の雑草抑制材とは、結合材とチップを１対２から４の割合の比率でバケツや定板の上で、またはモルタルミキサーで混合攪拌したものをいう。
【００２５】
本発明の結合材の塗布または噴霧方法として、噴霧器やジョロまたは、シュロホウキなどを用い行う。結合材により、チップ表面を濡してチップ間の隙間を結合材で埋める。
【００２６】
本発明の雑草抑制工法を道路中央分離帯、花壇、街路樹、公園等で人為がかなり加わっているところに施工する。雑草の発生源が道路中央分離帯、花壇、街路樹、公園等で人為がかなり加わっているところにおいて埋土中のタネからと推定される。雑草発生の深さが道路中央分離帯、花壇、街路樹、公園等で人為がかなり加わっているところでは、せいぜい５ｃｍぐらいまでである。道路中央分離帯、花壇、街路樹、公園等で人為がかなり加わっているところにおいての掘削深さを、地表面より１５ｃｍの掘削深さとする。地表面よりの掘削深さが１５ｃｍ程度掘削できない時は、地形条件を考慮し、掘削深さを３ｃｍ以上確保して掘削する。
【００２７】
本発明の掘削を、バックホウなどの機械掘削または、スコップや山鍬などを用い人力掘削にて行う。
本発明の掘削面の締め固め転圧を、人力にて土端板または、プレートやローラーを用い締め固め転圧する。
【００２８】
本発明の掘削面の締め固め転圧は、掘削面を圧縮沈下などによる段差を少なくし、均質に行い平坦にする。
本発明の掘削面の基面整正を、山鍬や角スコップを用い掘削面を、平坦に基面整正する。
【００２９】
本発明の基面整正した上に、遮光紙を敷き詰める。掘削側面は、掘削前の地表高まで遮光紙を添わせる。作業個所の地形条件を考慮して新聞紙を片面または両面開きにし、４から２５枚（日刊紙１日分）重ねて、繋ぎ目を５ｃｍから２０ｃｍにして敷き詰める。遮光紙が風により飛散または、めくれないように遮光紙の繋ぎ目と中心点あたりにチップを重石代わりに遮光紙の上に置く。
【００３０】
本発明の雑草抑制基材の締め固め転圧を、人力にて土端板または、プレートや無振動ローラーを用い締め固め転圧する。
本発明の雑草抑制基材の締め固め転圧は、雑草抑制基材の段差を均質に行い平坦にする。
【００３１】
本発明の雑草抑制施工範囲を、除草する。雑草抑制施工範囲の掘削を行う作業個所に杭とノゴメ板で丁張の屋形をたてて、水糸を丁張の屋形に張り掘削延長、掘削幅、掘削深さを示す。次に雑草抑制施工範囲の掘削を地表面より１５ｃｍの掘削深さとして掘削を行う。掘削面の段差を平坦に締め固め転圧する。締め固め転圧した掘削面を、山鍬や角スコップを用い掘削面を、平坦に基面整正する。掘削側面と掘削面に作業個所の地形条件を考慮して、遮光紙を敷き詰める。（図１）
【００３２】
遮光紙の上に、平均粒調が１〜８０ｍｍのチップを敷設する。これを一層目とし、人力にて土端板または、プレートやローラーを用い締め固め転圧する。一層目チップ表層面の上に、平均粒調が１〜８０ｍｍのチップを敷設する。これを二層目とし、人力にて土端板または、プレートやローラーを用い締め固め転圧する。
二層目チップ表層面の上に結合材を塗布または噴霧する。二層目チップ表層面の上に、平均粒調が５〜８０ｍｍのチップを敷設する。これを三層目とし、人力にて土端板または、プレートやローラーを用い締め固め転圧する。三層目チップ表層面の上に結合材を塗布または噴霧する。（図２）
【００３３】
遮光紙の上に、平均粒調が１〜８０ｍｍのチップを敷設する。これを一層目とし、人力にて土端板または、プレートやローラーを用い締め固め転圧する。一層目チップ表層面の上に、平均粒調が１〜８０ｍｍのチップを敷設する。これを二層目とし、人力にて土端板または、プレートやローラーを用い締め固め転圧する。
二層目チップ表層面の上に、結合材とチップを１対２から４の割合の比率でバケツや定板の上で、またはモルタルミキサーで混合攪拌した雑草抑制材を敷設する。雑草抑制材の表層面の上を、木ごてや金ごてで撫でつけ表面仕上げを行う。（図３）
【００３４】
遮光紙の上に、地表高まで結合材とチップを１対２から４の割合の比率でバケツや定板の上で、またはモルタルミキサーで混合攪拌した雑草抑制材を敷設する。
雑草抑制材の表層面の上を、木ごてや金ごてで撫でつけ表面仕上げを行う。（図４）
【００３５】
遮光紙の上に、平均粒調が１〜８０ｍｍのチップを敷設する。これを一層目とし、人力にて土端板または、プレートやローラーを用い締め固め転圧する。一層目チップ表層面の上に、平均粒調が１〜８０ｍｍのチップを敷設する。これを二層目とし人力にて土端板または、プレートやローラーを用い締め固め転圧する。二層目チップ表層面の上に平均粒調が１〜８０ｍｍのチップを敷設する。これを三層目とし人力にて土端板または、プレートやローラーを用い締め固め転圧する。
三層目チップ表層面の上に結合材を塗布または噴霧する。（図５）
【００３６】
遮光紙の上に、チップを敷設する。これを一層目とし、一層目の締め固め後の仕上がり厚さを１０ｃｍ前後とする。一層目のチップとして、チップ粒度の平均粒調が１〜８０ｍｍを使用する。
【００３７】
一層目チップ表層面の上に、チップを敷設する。これを二層目とし、二層目の締め固め後の仕上がりを、地表高より２〜３ｃｍ低くする。二層目のチップとして、チップ粒度の平均粒調が１〜８０ｍｍを使用する。
【００３８】
二層目チップ表層面の上に、チップを敷設する。これを三層目とし、掘削前の地表高までチップ表層面を締め固め転圧してチップを敷設する。三層目のチップとして、チップ粒度の平均粒調が１〜８０ｍｍを使用する。
【００３９】
雑草抑制材の作成は、平均粒調が１〜８０ｍｍのチップを、結合材とチップを１対２から４の割合の比率でバケツや定板の上で、またはモルタルミキサーで混合攪拌して作成する。
【００４０】
雑草抑制材の表層面仕上げを、木ごてや金ごてで撫でつけ表面仕上げを行う。
遮光紙の上に、雑草抑制材を、掘削前の地表高までチップ表層面に敷設する。雑草抑制材の表層面仕上げを、木ごてや金ごてで撫でつけ表面仕上げを行う。
【００４１】
抑制評価を、草刈工を行った歩道側植栽地帯の部分で雑草抑制施工範囲とそうでない範囲を比較抑制評価する。
飛散評価を、雑草抑制基材のチップが、雑草抑制施工範囲以外に雑草抑制基材のチップの有無で評価する。流失評価を、雑草抑制基材のチップが、雑草抑制施工範囲以外に雑草抑制基材のチップの有無で評価する。
【００４２】
【実施例】
〔実施例１〕
チップの作り方は、街路樹等の樹木の剪定材、間伐材、または伐採、である木質系、または草、花など植物系、あるいは、これらの微生物による分解されたのものを一つ以上含むものを、チッパシュレッダにより破砕した。チップの平均粒調が１ｍｍ〜４０ｍｍまでのチップを使用した。
【００４３】
〔実施例２〕
結合材の作り方は、天然素材である紅藻類の海藻と水を煮ることで、結合材ができる。乾燥した紅藻類海藻のスギノリ科くろ葉ぎんなん草を調理用ミルで破砕して粉末にした紅藻類海藻５０ｇに対して水１，２００ｃｃの割合で直径２０ｃｍ深さ９ｃｍのアルミ鍋の中に入れる。紅藻類海藻と水をいれたアルミ鍋をガスコンロで加熱する。アルミ鍋を加熱して１０〜１５分間経過したら沸騰し始めた。アルミ鍋が、沸騰したら加熱を調整する。アルミ鍋の中をゆっくりと箸でかき混ぜ煮る。３０分から４０分間煮て加熱をやめる。紅藻類海藻水溶液が得られた。
紅藻類海藻水溶液を常温にて自然冷却させたら、食用サラダ油位の粘調度が得られた。結合材をそのまま使用できるが、水で３倍に希釈して使用した。
【００４４】
〔実施例３〕
遮光紙は、古紙として収集される新聞紙を、遮光紙とした。雑草抑制基材は、チップと結合材と遮光紙を雑草抑制基材とした。
【００４５】
〔実施例４〕
雑草抑制材は、平均粒調が１〜４０ｍｍのチップと結合材を、チップ３に対し結合材１の割合で、定板の上で混合攪拌したものを雑草抑制材とした。
【００４６】
〔実施例５〕
歩道側植栽地帯で、勾配４％の歩道側植栽地帯の、深さ１５ｃｍ幅８０ｃｍ延長８０ｍの部分を雑草抑制施工法の作業個所範囲とした。雑草抑制施工法の結合材の塗布を行った範囲は、幅８０ｃｍ延長１ｍの範囲で施工し、地表面より１５ｃｍの掘削深さとした。雑草抑制施工法の作業個所範囲に、杭とノゴメ板で丁張の屋形をたてて、水糸を丁張の屋形に張り掘削延長、掘削幅、掘削深さを示した。掘削は、スコップや山鍬などを用い人力掘削にて掘削を行った。掘削面の締め固め転圧は、人力にて土端板を用い締め固め転圧した。掘削面の基面整正は、転圧した掘削面を山鍬や角スコップを用い掘削面が平坦に基面整正をした。基面整正した掘削面の上に遮光紙の新聞紙を敷き詰めた。掘削側面は、遮光紙の新聞紙を、掘削前の地表高まで掘削側面に添わせた。遮光紙の敷き詰める方法は、新聞紙を６枚重ねて繋ぎ目を１０ｃｍの重ねシロにして敷き詰めた。遮光紙が風により飛散まためくれないように遮光紙の繋ぎ目と中心点付近にチップを重石代わりに遮光紙の上に置いた。（図９）
【００４７】
遮光紙の上に平均粒調が１〜４０ｍｍのチップを敷設した。これを一層目として敷均した。チップの敷均し厚さが１２ｃｍあった。一層目のチップ表層面を、人力にて土端板を用い締め固め転圧した。締め固め転圧後の厚さが、平均１０ｃｍ前後の厚さになった。次に、一層目チップ表層面の上に平均粒調が１〜４０ｍｍのチップを敷設した。これを二層目として敷均した。チップの敷均し厚さを、掘削前の地表高まで敷均した。二層目チップ表層面を、人力にて土端板を用い締め固め転圧した。締め固め転圧後の厚さが、地表高よりチップ表層面が２〜３ｃｍ低くなった。二層目チップ表層面に結合材の塗布をした。二層目チップ表層面の上に平均粒調が１〜４０ｍｍのチップを敷設した。これを三層目として敷均した。三層目チップ表層面を、人力にて土端板を用い締め固め転圧した。
締め固め転圧後の厚さが、地表高までになった。三層目チップ表層面に結合材の塗布をした。塗布の方法は、シュロホウキを使用した。（図９）
【００４８】
三層目チップ表層面の結合材を塗布した範囲の上を、１０日後歩くと柔軟な感触であった。歩いたのちに靴底にチップが付着しなかった。雑草抑制施工法の作業個所範囲を、切り取り検測で幅５０ｃｍ延長５０ｃｍ深さ１５ｃｍ角をスコップで切り取った。切り取った範囲は、三層目チップがサンドイッチ状で２〜３ｃｍの厚さに接着されていた。雑草抑制と飛散防止流失防止の観察を７ヶ月行った。雑草抑制効果も有り、飛散防止効果及び流失防止効果を得た。
【００４９】
〔実施例６〕
歩道側植栽地帯で、勾配４％の歩道側植栽地帯の、深さ１５ｃｍ幅８０ｃｍ延長８０ｍの部分を雑草抑制施工法の作業個所範囲とした。雑草抑制施工法の結合材の塗布を行った範囲は、幅８０ｃｍ延長１ｍの範囲で施工し、地表面より１５ｃｍの掘削深さとした。雑草抑制施工法の作業個所範囲に、杭とノゴメ板で丁張の屋形をたてて、水糸を丁張の屋形に張り掘削延長、掘削幅、掘削深さを示した。掘削は、スコップや山鍬などを用い人力掘削にて掘削を行った。掘削面の締め固め転圧は、人力にて土端板を用い締め固め転圧した。掘削面の基面整正は、転圧した掘削面を山鍬や角スコップを用い掘削面が平坦に基面整正をした。基面整正した掘削面の上に遮光紙の新聞紙を敷き詰めた。掘削側面は、遮光紙の新聞紙を、掘削前の地表高まで掘削側面に添わせた。遮光紙の敷き詰める方法は、新聞紙を６枚重ねて繋ぎ目を１０ｃｍの重ねシロにして敷き詰めた。遮光紙が風により飛散まためくれないように遮光紙の繋ぎ目と中心点付近にチップを重石代わりに遮光紙の上に置いた。（図６）
【００５０】
遮光紙の上に平均粒調が１〜４０ｍｍのチップを敷設した。これを一層目として敷均した。チップの敷均し厚さが１２ｃｍあった。一層目のチップ表層面を、人力にて土端板を用い締め固め転圧した。締め固め転圧後の厚さが、平均１０ｃｍ前後の厚さになった。次に、一層目チップ表層面の上に平均粒調が１〜４０ｍｍのチップを敷設した。これを二層目として敷均した。チップの敷均し厚さを、掘削前の地表高まで敷均した。二層目チップ表層面を、人力にて土端板を用い締め固め転圧した。締め固め転圧後の厚さが、地表高よりチップ表層面が２〜３ｃｍ低くなった。二層目チップ表層面の上に雑草抑制材を地表高まで敷設した。雑草抑制材の表層面を木ごてで撫でつけ表面仕上げを行った。（図６）
【００５１】
雑草抑制材を敷設した範囲の上を、１０日後歩くと柔軟な感触であった。歩いたのちに靴底にチップが付着しなかった。雑草抑制施工法の作業個所範囲を、切り取り検測で幅５０ｃｍ延長５０ｃｍ深さ１５ｃｍ角をスコップで切り取った。切り取った範囲は、三層目チップが２〜３ｃｍの厚さに接着されていた。雑草抑制と飛散防止流失防止の観察を７ヶ月行った。雑草抑制効果も有り、飛散防止効果及び流失防止効果を得た。
【００５２】
〔実施例７〕
歩道側植栽地帯で、勾配４％の歩道側植栽地帯の、深さ１５ｃｍ幅８０ｃｍ延長８０ｍの部分を雑草抑制施工法の作業個所範囲とした。雑草抑制施工法の結合材の塗布を行った範囲は、幅８０ｃｍ延長１ｍの範囲で施工し、地表面より１５ｃｍの掘削深さとした。雑草抑制施工法の作業個所範囲に、杭とノゴメ板で丁張の屋形をたてて、水糸を丁張の屋形に張り掘削延長、掘削幅、掘削深さを示した。掘削は、スコップや山鍬などを用い人力掘削にて掘削を行った。掘削面の締め固め転圧は、人力にて土端板を用い締め固め転圧した。掘削面の基面整正は、転圧した掘削面を山鍬や角スコップを用い掘削面が平坦に基面整正をした。基面整正した掘削面の上に遮光紙の新聞紙を敷き詰めた。掘削側面は、遮光紙の新聞紙を、掘削前の地表高まで掘削側面に添わせた。遮光紙の敷き詰める方法は、新聞紙を６枚重ねて繋ぎ目を１０ｃｍの重ねシロにして敷き詰めた。遮光紙が風により飛散まためくれないように遮光紙の繋ぎ目と中心点付近にチップを重石代わりに遮光紙の上に置いた。（図７）
【００５３】
遮光紙の上に雑草抑制材を掘削前の地表高までチップ表層面に敷設した。雑草抑制材の表層面を木ごてで撫でつけ表面仕上げをした。（図７）
雑草抑制材を敷設した範囲の上を、１０日後歩くと柔軟な感触であった。歩いたのちに靴底にチップが付着しなかった。雑草抑制施工法の作業個所範囲を、切り取り検測で幅５０ｃｍ延長５０ｃｍ深さ１５ｃｍ角をスコップで切り取った。切り取った範囲は、１５ｃｍの厚さで接着されていた。雑草抑制と飛散防止流失防止の観察を７ヶ月行った。雑草抑制効果も有り、飛散防止効果及び流失防止効果を得た。
【００５４】
〔実施例８〕
歩道側植栽地帯で、勾配４％の歩道側植栽地帯の、深さ１５ｃｍ幅８０ｃｍ延長８０ｍの部分を雑草抑制施工法の作業個所範囲とした。雑草抑制施工法の結合材の塗布を行った範囲は、幅８０ｃｍ延長１ｍの範囲で施工し、地表面より１５ｃｍの掘削深さとした。雑草抑制施工法の作業個所範囲に、杭とノゴメ板で丁張の屋形をたてて、水糸を丁張の屋形に張り掘削延長、掘削幅、掘削深さを示した。
掘削は、スコップや山鍬などを用い人力掘削にて掘削を行った。掘削面の締め固め転圧は、人力にて土端板を用い締め固め転圧した。掘削面の基面整正は、転圧した掘削面を山鍬や角スコップを用い掘削面が平坦に基面整正をした。基面整正した掘削面の上に遮光紙の新聞紙を敷き詰めた。掘削側面は、遮光紙の新聞紙を、掘削前の地表高まで掘削側面に添わせた。遮光紙の敷き詰める方法は、新聞紙を６枚重ねて繋ぎ目を１０ｃｍの重ねシロにして敷き詰めた。遮光紙が風により飛散まためくれないように遮光紙の繋ぎ目と中心点付近にチップを重石代わりに遮光紙の上に置いた（図８）。
【００５５】
遮光紙の上に平均粒調が１〜４０ｍｍのチップを敷設した。これを一層目として敷均した。チップの敷均し厚さが１２ｃｍあった。一層目のチップ表層面を、人力にて土端板を用い締め固め転圧した。締め固め転圧後の厚さが、平均１０ｃｍ前後の厚さになった。次に、一層目チップ表層面の上に平均粒調が１〜４０ｍｍのチップを敷設した。これを二層目として敷均した。チップの敷均し厚さを、掘削前の地表高まで敷均した。二層目チップ表層面を、人力にて土端板を用い締め固め転圧した。締め固め転圧後の厚さが、地表高よりチップ表層面が２〜３ｃｍ低くなった。二層目チップ表層面の上に平均粒調が１〜４０ｍｍのチップを敷設した。これを三層目として敷均した。三層目チップ表層面を、人力にて土端板を用い締め固め転圧した。締め固め転圧後の厚さが、地表高までになった。三層目チップ表層面に結合材の塗布をした。塗布の方法は、シュロホウキを使用した（図８）。
【００５６】
三層目チップ表層面の結合材を塗布した範囲の上を、１０日後歩くと柔軟な感触であった。歩いたのちに靴底にはチップが付着した。雑草抑制施工法の作業個所範囲を、切り取り検測で幅５０ｃｍ延長５０ｃｍ深さ１５ｃｍ角をスコップで切り取った。切り取った範囲は、三層目チップの表面のみ接着されていた。雑草抑制と飛散防止流失防止の観察を７ヶ月行った。雑草抑制効果は得たが飛散防止効果及び流失防止効果は得られなかった。
【００５７】
雑草抑制工法の掘削は、スコップや山鍬などを用い人力掘削にて掘削を行った。
雑草抑制工法の掘削面とチップ表層面の締め固めは、人力にて土端板を用い締め固め転圧した。雑草抑制工法の雑草抑制材の表面仕上げは、木ごてで行った。
雑草抑制工法の実施例５で雑草抑制効果と飛散防止効果及び流失防止効果の観察を７ヶ月行い、評価を行い、表１の結果を得た。雑草抑制効果も有り、飛散防止効果及び流失防止効果を得た。
【００５８】
【表１】
2004290014.tif 000003
【００５９】
雑草抑制工法の実施例６で雑草抑制効果と飛散防止効果及び流失防止効果の観察を７ヶ月行い、評価を行い、表２の結果を得た。雑草抑制効果も有り、飛散防止効果及び流失防止効果を得た。
【００６０】
【表２】
2004290014.tif 000004
【００６１】
雑草抑制工法の実施例７で雑草抑制効果と飛散防止効果及び流失防止効果の観察を７ヶ月行い、評価を行い、表３の結果を得た。雑草抑制効果も有り、飛散防止効果及び流失防止効果を得た。
【００６２】
【表３】
2004290014.tif 000005
【００６３】
雑草抑制工法の実施例８で雑草抑制効果と飛散防止効果及び流失防止効果の観察を７ヶ月行い、評価を行い、表４の結果を得た。雑草抑制効果は得たが飛散防止効果及び流失防止効果は得られなかった。
【００６４】
【表４】
2004290014.tif 000006
【００６５】
【発明の効果】
本発明により、街路樹等の樹木の剪定材、間伐材、伐採、竹または伐根である木質系、または草、花など植物系の天然素材が、概ね一般廃棄物処理場または、産業廃棄物処理場へ搬入され、埋め立て処理及び焼却処理されている。これらの木質系、植物系を破砕機にてチップにする。施工現場内で、木質系、植物系が排出される現場に移動式破砕機を据えてチップにする。施工現場内に雑草抑制工法を行うことで、運搬に関わる経費の節約にもなる。遮光紙を、古紙として収集される新聞紙を再利用する。チップと新聞紙を使用することで再資源化が図れる。天然素材の紅藻類の海藻を煮出して得られる水溶液を結合材とする。結合材を使用することで、土壌汚染に対しての軽減化を図る。道路中央分離帯、花壇、街路樹、公園等で人為がかなり加わっているところで、雑草抑制効果も有り、飛散防止効果及び流失防止効果を得ることができる。雑草抑制工法を行うことで、道路中央分離帯、花壇、街路樹、公園等での整然とした景観を得ることができた。
【図面の簡単な説明】
【図１】雑草抑制工法作業順の遮光紙までのフロー図
【図２】雑草抑制基材を用いた二層目と三層目への結合材塗布による雑草抑制工法作業順の遮光紙以降のフロー図
【図３】三層目を雑草抑制材とした雑草抑制工法作業順の遮光紙以降のフロー図
【図４】雑草抑制材のみ用いた雑草抑制工法作業順の遮光紙以降のフロー図
【図５】二層目と三層目に雑草抑制基材を用いたとき、三層目のみに結合材塗布による雑草抑制工法作業順の遮光紙以降のフロー図
【図６】実施例５の雑草抑制工法作業手順断面図
【図７】実施例６の雑草抑制工法作業手順断面図
【図８】実施例７の雑草抑制工法作業手順断面図
【図９】実施例８の雑草抑制工法作業手順断面図
【００６６】
【符号の説明】
０１０、雑草抑制工法施工範囲
０１２、歩道
０１４、縁石
０１６、敷モルタル
０１８、基礎砕石
０２０、密粒アスコン
０２２、路盤砕石
０２４、地面
０２６、掘削深さ
０２８、遮光紙
０３０、重ねシロ
０３２、一層目チップ
０３４、二層目チップ
０３６、三層目チップ
０３８、雑草抑制材
【図１】
2004290014.tif 000007
【図２】
2004290014.tif 000008
【図３】
2004290014.tif 000009
【図４】
2004290014.tif 000010
【図５】
2004290014.tif 000011
【図６】
2004290014.tif 000012
【図７】
2004290014.tif 000013
【図８】
2004290014.tif 000014
【図９】
2004290014.tif 000015